(57)【要約】【課題】近年、主に女性の間で需要が高まっている引き締まったヒップラインの形成を、家庭でも手軽にできる運動で、本格的トレーニングに匹敵する効果で殿筋群の鍛錬することにより可能にする安価な器具が望まれている。【解決手段】本発明に係る運動器具は、着座したときおおむね肩甲骨の高さの背凭れの背面に回転軸を備え、背にあたる面の角度が自在に変わる背凭れを備えたエクササイジマシンであり、同時に腰のあたりに装着し腰を突き上げる方向と逆方向に引き戻す力により運動負荷を与えることを目的とした、弾性体バンドもしくは錘やばね等にケーブルなどで繋がったバンドを備えることを特徴とする。【選択図】図１
2019187767.tif 000002
【特許請求の範囲】
【請求項１】
着座したときおおむね肩甲骨の高さの背凭れの背面に回転軸を備え、背にあたる面の角度が自在に変わる背凭れを備えたエクササイズマシン。
【請求項２】
腰のあたりに装着し腰を突き上げる方向と逆方向に引き戻す力を与えることを目的とした、弾性体バンドもしくは錘やばね等にケーブルなどで繋がったバンドを備える請求項１に記載のエクササイズマシン。
【発明の詳細な説明】
【技術分野】
【０００１】
本発明は、エクササイズマシンに関する。さらに詳しくは、大臀筋など、外観的には引き締まったヒップラインを形成し、運動機能としては歩行または走行時さらには階段を上るときなどの推進力を担う大殿筋と、歩行時に体幹を左右に安定させる中殿筋など殿筋群を鍛錬するエクササイズマシンに関するものである。
【背景技術】
【０００２】
近年ヒップラインの美化に関する需要が女性を中心に高まっている。そのためには大殿筋など殿筋群の鍛錬が重要であり、効果的な運動としてヒップスラストが知られている。更にはその運動を補助する器具も提案されている。本発明に関連する先行技術を開示する。
【先行技術文献】
【特許文献】
【０００３】
【特許文献１】特開２００９−２４７８３９
【発明の概要】
【発明が解決しようとする課題】
【０００４】
ヒップスラストは殿筋群の鍛錬において最も効果的な運動の一つであるが、開示した先行技術では、床に寝そべって器具に足をかけるなど運動に入るまでが手軽ではない。またジムで行っているようなバーベルなどを用いて負荷をかける方法は一般家庭では難しい。例えば、座椅子に座っているようなリラックスした姿勢から簡単に運動ができ、更には効果的な運動負荷をかけられる方法が望まれる。
【課題を解決するための手段】
【０００５】
上記の課題を解決するために、本発明の請求項１に係るエクササイズマシンは着座したときおおむね肩甲骨の高さの背凭れの背面に回転軸を備え、背にあたる面の角度が自在に変わる背凭れを備えおり、背中面に追従することにより運動を容易なものにすることを特徴とする。
【０００６】
本発明の請求項２に係るエクササイズマシンは、請求項１に記載のエクササイズマシンにおいて、腰のあたりに装着し腰を突き上げる方向と逆方向に引き戻す力を与える弾性バンド、もしくは錘やばね等にケーブルなどで繋がった腰のあたりに装着し腰を突き上げる方向と逆方向に引き戻す力を与えるバンドを備えることを特徴とする。
【発明の効果】
【０００７】
本発明は、シンプルな構造の安価なエクササイズマシンで、運動効果の高いヒップスラストを一層容易にし、殿筋群の鍛錬を身近で簡単なものにすることができる。
【図面の簡単な説明】
【０００８】
【図１】図１は、本エクササイズマシンの全体構造を示した斜め前方よりの斜視図である。
【図２】図２は、本エクササイズマシンの弾性体バンドの着脱可能なフック部分の拡大図である。
【図３】図３は、本エクササイズマシンの全体構造を示した斜め後方よりの斜視図である。
【図４】図４は、本エクササイズマシンの全体構造を示した側面図である。
【図５】図５は、本エクササイズマシンでの運動方法を示したものである。
【図６】図６は、本エクササイズマシンでの運動方法を示したものである。
【発明を実施するための形態】
【０００９】
座椅子に着座するように着座したとき、おおむね肩甲骨の高さの背凭れの背面に回転軸を備え、背にあたる面の角度が自在に変わる背凭れを備えたエクササイズマシンであり、同時に腰のあたりに装着し腰を突き上げる方向と逆方向に引き戻す力を与えることを目的とした、弾性体バンドもしくは錘やばね等にケーブルなどで繋がったバンドを備える。
【実施例】
【００１０】
図１に示すのは本器具の全体図である。座椅子に似た形態をし、１メインフレームに２背凭れパッドが取り付けられた５背凭れフレームが１−C部、５−A部において回転可能に取りつけられる。３弾性体バンドは１に、１−B部、３−A部において着脱可能なフックで取り付けられる。４シートはメインフレームに固定される。１メインフレームには運動時に手を添えるための１−Aハンドル部を備えている。
【００１１】
図２は３−A運動負荷用弾性体バンドの取り付けフック部と１−Bメインフレームの運動負荷用弾性体バンド取り付けフック部を表している。運動中に安易に外れることはなく、かつ着脱可能な構造でなければならない。
【００１２】
図３は図1に示す全体図を後方から見たものである。１−Dメインフレームの背凭れ回転ストッパー部は、５背凭れフレームが回転し、２背凭れパッドが下向きにならないように保持する。使用者が着座するときに座りやすい角度で２背凭れパッドを待機させるためである。
【００１３】
図４は全体構造の側面図である。
【００１４】
図５は使用者が４シートに着座し、３運動負荷用弾性体バンドを装着して運動の準備が完了した状態である。  
【００１５】
図６は運動の最終姿勢で使用者の殿筋群に最も高い運動負荷がかかっている状態である。図５の姿勢から両足を踏ん張って腰を突き上げるようにして２背凭れパッドにもたれかかる。すると自然に背中と２背凭れパッドが密着したまま背凭れの角度が変化し、図６の姿勢になる。この時３運動負荷用弾性体バンドの張力に逆らい引き伸ばしつつ動作を行うので殿筋群に強い負荷がかかる。
【００１６】
図７は運動時の負荷のかかり方を表す。F方向に引き戻そうとする３運動負荷用弾性体バンドの力に逆らいE方向に腰を持ち上げるために殿筋はG方向に収縮する力を鍛錬される。
【００１７】
本器具を用いての運動とは、図５に示す姿勢から図６に示す姿勢に移る動作を連続的に繰り返す運動になる。これにより殿筋群の鍛錬が行われる。また実施例では弾性体バンドを用いているが、運動負荷を与える方法は弾性体バンドに限定するものではない。もちろん非弾性体のバンドを用い、ケーブルで錘やばねを接続して運動負荷を与えてもよい。ただし図７に示すように、腰を持ち上げる運動方向（E方向）の逆方向（F方向）に引き戻す力を与えなければならない。
【符号の説明】
【００１８】
１    メインフレーム
２    背凭れパッド
３    運動負荷用弾性体バンド
４    シート  
５    背凭れフレーム
１−Aメインフレームのハンドル部
１−Bメインフレームの運動負荷用弾性体バンド取り付けフック部
１−Cメインフレームの背凭れ回転軸（シャフト）部
１−Dメインフレームの背凭れ回転ストッパー部
３−A運動負荷用弾性体バンドの取り付けフック部
５−A背凭れフレームの回転軸受け（パイプ）部
【図１】
2019187767.tif 000003
【図２】
2019187767.tif 000004
【図３】
2019187767.tif 000005
【図４】
2019187767.tif 000006
【図５】
2019187767.tif 000007
【図６】
2019187767.tif 000008
【図７】
2019187767.tif 000009
【手続補正書】
【提出日】平成30年6月20日(2018.6.20)
【手続補正１】
【補正対象書類名】明細書
【補正対象項目名】０００８
【補正方法】変更
【補正の内容】
【０００８】
【図１】図１は、本エクササイズマシンの全体構造を示した斜め前方よりの斜視図である。
【図２】図２は、本エクササイズマシンの弾性体バンドの着脱可能なフック部分の拡大図である。
【図３】図３は、本エクササイズマシンの全体構造を示した斜め後方よりの斜視図である。
【図４】図４は、本エクササイズマシンの全体構造を示した側面図である。
【図５】図５は、本エクササイズマシンでの運動方法を示したものである。
【図６】図６は、本エクササイズマシンでの運動方法を示したものである。
【図７】図７は、本エクササイズマシンでの運動における、使用者の動作の方向と、弾性体バンドの力の方向と、殿筋が収縮する力の方向を示したものである。